【事件の表示】
　特願２０００−１７８２９１「情報再生システム、そのシステムに用いる情報再生装置および情報提供装置」拒絶査定不服審判事件〔平成１３年１２月２６日出願公開、特開２００１−３５９０７９〕について、次のとおり審決する。
【結　論】
　本件審判の請求は、成り立たない。
【理　由】
【第１】経緯  
　
［１］手続き
　本願は、平成１２年６月１４日の出願であって、手続の概要は以下のとおりである。
  拒絶理由通知          ：平成１７年２月２２日（起案日）
  手続補正（明細書の補正）：平成１７年４月２５日
  拒絶査定                ：平成１７年６月１０日（起案日）
  拒絶査定不服審判請求    ：平成１７年７月　７日
  手続補正                ：平成１７年７月　７日
  前置審査報告            ：平成１７年８月２９日
　
【第２】補正却下の決定
　
　上記平成１７年７月７日付け手続補正（以下、本件補正という。）について次の通り決定する。  
 　 
［補正却下の決定の結論］  
　
  平成１７年７月７日付けの手続補正を却下する。
 　 
［理由］
　 
［１］本件補正の内容  
　
　本件補正は、本件補正前、平成１７年４月２５日付け手続補正書記載の特許請求の範囲に対してする補正であり、請求項１、請求項６および請求項１１にそれぞれ記載された発明を特定する事項である「代替情報」を「新しい代替情報」と補正するものである。
　
［２］本件補正の適合性
　
［２-１］補正の範囲（第１７条の２第３項） 
　
　上記代替情報を「新しい代替情報」とする補正事項は、願書に最初に添付した明細書の【０００９】、【００１９】及び【００３１】等の記載に基づくものであり、願書に最初に添付した明細書及び図面に記載した事項の範囲内においてする補正である。  
　
［２-２］補正の目的（第１７条の２第４項１号〜４号）
　
　上記補正事項は、特許請求の範囲についてする補正である。  
　上記補正事項は、補正前の請求項１，６，１１における「代替情報」を「新しい代替情報」に限定するものであるから、特許法第１７条の２第４項第２号で規定する特許請求の範囲の減縮を目的とする補正に該当する。
  　
［２-３］独立特許要件（第１７条の２第５項）  
  そこで、本件補正後の請求項に係る発明が独立特許要件（特許法第１７条の２第５項において準用する同法第１２６条５項の規定）を満たすか否かについて以下に検討する。
　
［２-３-１］補正後発明
　本件補正後の請求項１から請求項１３までに係る発明のうち、請求項６に係る発明（以下、「補正後発明」ともいう。）は、下記のとおりである。
　
　　　　　　記《補正後発明》
　【請求項６】
　予め記録された記録情報を再生する情報再生装置と、前記情報再生装置に接続され前記情報再生装置に情報を提供する情報提供装置とを含む情報再生システムに用いられる情報再生装置であって、
前記情報提供装置は、前記情報再生装置に代替情報を送信するための代替情報送信手段を含み、
　前記情報再生装置は、
　前記記録情報の中から予め定められた時間に関する条件を満足する抽出情報を抽出するための抽出手段と、
　前記情報提供装置と前記抽出手段とに接続され、前記抽出手段により抽出された抽出情報を代替するための
新しい
　前記情報提供装置に接続され、前記代替情報送信手段により送信された前記代替情報を受信して、受信した前記代替情報により前記抽出情報を代替して、前記記録情報を再生するための再生手段とを含む、情報再生装置。
　
［２-３-２］先願明細書の記載
　
　原査定の拒絶の理由に引用された、本願の出願の日前の他の出願であって、当該他の出願を基礎とする優先権主張を伴う特願２０００−２６９０３３号についての出願公開（特開２００１−２９２１１５号公報、平成１３年１０月１９日）がされた時に、出願公開がされたものとみなされた特願２０００−２７４０８号（出願日：２０００年１月３１日，以下「先願」という。）の願書に最初に添付した明細書及び図面（以下「先願明細書」という。）には、以下の記載がある。
　なお、先願明細書の記載の各摘示の後に、上記公開公報における同摘示の記載箇所を括弧書きで付記する。
　
　
　《請求項１〜４》
　(K1)「【請求項１】　予め編成された番組本体データと補助素材群の組合せからなるマルチメディアコンテンツ群によるコンテンツデータとして連続ストリーミングを送出する送信サーバ機能部と、
　上記送信サーバ機能部から送られてくる連続ストリーミングを受信して、分割された各番組本体データ及び各捕縄素材に附属する各属性データとユーザ及びユーザ機器のプロファイルデータの演算により、コンテンツデータの順番を入れ替えた新たな編成を構築する編成制御機能を備えた端末機能部と
　からなる情報提供システム。
【請求項２】　上記端末機能部は、上記属性データとプロファイルデータの演算結果に基づいて、オンデマンドで追加コンテンツデータを取り込むオンデマンド制御機能を有することを特徴とする請求項１記載の情報提供システム。
【請求項３】　上記端末機能部は、上記プロファイルデータを一時的に他のプロファイルデータに置き換え可能な記憶手段を備えることを特徴とする請求項１記載の情報提供システム。
【請求項４】　上記端末機能部は、上記編成制御機能により構築された新たな編成にしたがったコンテンツデータの再生結果を上記送信サーバ機能部に通知する機能を有し、
　上記送信サーバ機能部は、上記端末機能部から通知された上記新たな編成にしたがったコンテンツデータの再生結果に基づいて清算処理を行う管理者機能を有することを特徴とする請求項１記載の情報提供システム。」（公開公報の請求項１〜４）
　
　《従来技術、解決しようとする課題、目的》
　(K2)「【０００２】
　【従来の技術】
　地上波による放送や衛星放送、ＣＡＴＶなどの放送システムでは、放送局側で番組内容にコマーシャル（ＣＭ）を挿入して送信している。すなわち、ＣＭの導入により伝送コストやコンテンツに対するコストを視聴者に代わってＣＭスポンサが肩代わりすることにより、視聴者はリーズナブルなコストでサービスを受けることができるようになっている。
  【０００３】
  また、従来より、放送された番組を磁気テープを記録媒体としたビデオカセットテープレコーダ（以下、ＶＣＲという）などの記録再生装置により記録しておき、時間のあるときに記録媒体から所望の番組を再生することが広く行われている。」（公開公報の段落0002,0003）
　
　(K3)「【０００６】
  【発明が解決しようとする課題】
  ところで、一般家庭ユーザが使用するＶＣＲなど記録再生装置においては、録画した番組と再生する番組は同一のものである。すなわち、従来、番組と番組の間に挿入されたＣＭは恒常的なものである。
  【０００７】
  しかしながら、ＣＭは一種の商品情報であるから、有効期間があり、また対象にする視聴者を選ぶはずである。
  【０００８】
  例えば、ある期間限定のバーゲンに関するＣＭ告知は、その期間が経過してから再生されても、告知という観点からは無意味なものとなってしまう。また、例えば視聴者が男性である場合、通常は女性用の化粧品などの宣伝の効果が薄いと考えられるが、従来、記録再生装置によって録画された放送番組は視聴者の性別に拘わらず画一的に再生されてしまう。」（公開公報の段落0006〜0008）
　
　(K4)「【００１２】
　そこで、本発明の目的は、放送時の編成と再生時の編成を意図的に変更することを可能にすることにある。
　【００１３】
　また、本発明の他の目的は、放送時には伝えきれない精度の高い情報をユーザに提供することができようにすることにある。
　・・・（中略）・・・
　【００１５】
  さらに、本発明の他の目的は、補助素材の差し替えに応じた清算処理を行い、ＣＭ枠の再販を可能にすることある。」（公開公報の段落0012〜0015）
　
  《実施の形態》
　(K5)「【００１９】
 　【発明の実施の形態】
　以下、本発明の実施の形態について図面を参照して詳細に説明する。
　【００２０】
　本発明は、例えば図１に示すような構成の情報提供システムに適用される。この情報提供システムは、放送用番組クリップと放送用ＣＭクリップの組合せからなるコンテンツデータを連続ストリーミングとして送出する放送局１と、上記放送局１から連続ストリーミングを受信する情報端末装置２と、上記情報端末装置２がインターネットなどのネットワークを介して接続される追加クリップサーバ装置３などにより構成されている。
　【００２１】
  この情報提供システムにおいて、上記放送局１には、コンテンツクリップ（番組）提供者４により予め編成された番組本体データが上記放送用番組クリップとして配布される。また、上記放送局１には、ＣＭスポンサ６による依頼に基づいて広告代理店７からのＣＭ作成の発注に応じてコンテンツクリップ（ＣＭ）提供者５により作成された補助素材データ群が放送用ＣＭクリップとして配布される。
　【００２２】
　上記放送用番組クリップ及び放送用ＣＭクリップを構成する番組本体データ及び補助素材データにはそれぞれ属性が定義され、番組本体データ及び補助素材データにそれそれぞれ属性データが附属されている。
　【００２３】
  そして、上記放送局１は、上記予め編成された番組本体データからなる放送用番組クリップと上記補助素材群からなる放送用ＣＭクリップの組合せからなるマルチメディアコンテンツ群によるコンテンツデータを連続ストリーミングとして送出する。」（公開公報の段落0026〜0030）
　
　(K6)「【００２４】
  上記放送局１から送られてくる連続ストリーミングを受信する情報端末装置２は、上記放送局１から送られてくる連続ストリーミングを受信して半導体メモリやハードディスクなどのランダムアクセス再生が可能な記録媒体に保存する図２に示すような構成の記録再生装置１０からなる。
  【００２５】
  すなわち、この記録再生装置１０は、録画結果保存部１１、個人プロファイル保存部１２、ユーザ機器プロファイル保存部１３、適用プロファイル生成部１４、再編成検討部１５、ダウンロード機能部１６、最終構成部１７やコンテンツ再生部１８等からなる。また、この記録再生装置１０は、出力装置１９が接続されている。」（公開公報の段落0031，0032）
　
  (K7)「【００２６】
  上記録画結果保存部１１は、録画本体保存部１１Ａと録画属性保存部１１Ｂからなり、上記放送局１から送られてくる連続ストリーミングを受信することにより得られた放送用番組クリップ及び放送用ＣＭクリップを上記録画本体保存部１１Ａに保存するとともに、上記録画本体保存部１１Ａに保存した放送用番組クリップ及び放送用ＣＭクリップに附属する各属性データを録画属性保存部１１Ｂに保存する。
　【００２７】
  上記個人プロファイル保存部１２には、視聴者の名前、年齢、性別、職業、趣味などのユーザのプロファイルデータを保存する。
  【００２８】　
  上記ユーザ機器プロファイル保存部１３には、記録再生装置１０の設置住所、設置場所、時刻などのプロファイルデータを保存する。
　【００２９】
  上記適用プロファイル生成部１４は、上記個人プロファイル保存部１２に保存されているユーザのプロファイルデータと上記ユーザ機器プロファイル保存部１３に保存されているユーザ機器のプロファイルデータを演算することにより、適用プロファイルデータを生成する。」（公開公報の段落0033〜0036）
　
　(K8)「【００３０】
  上記再編成検討部１５は、上記録画結果保存部１１に録画されているコンテンツクリップすなわち放送用番組クリップ及び放送用ＣＭクリップの属性と上記適用プロファイル生成部１４により生成された適用プロファイルデータの比較演算を行い、その演算結果に基づいて、コンテンツクリップの再生順を変更するとともに、不足しているコンテンツクリップすなわち追加すべきコンテンツクリップの種類を判別し、インターネットなどのネットワーク２０を介して追加クリップサーバ装置３に追加すべきコンテンツクリップの種類を通知して、ダウンロード機能部１６により追加クリップサーバ装置３から追加すべきコンテンツクリップをオンデマンドでダウンロードする。
 【００３１】
  上記最終構成部１７は、上記ダウンロード機能部１６によりダウンロードした追加コンテンツクリップを含めて再生順を再編成して、最終編成を構成する。
 【００３２】
  そして、上記コンテンツ再生部１８は、上記最終構成部１７により構成された最終編成に従って、上記録画結果保存部１１及び上記ダウンロード機能部１６から放送用番組クリップ、放送用ＣＭクリップ及び追加コンテンツクリップを読み出し、コンテンツデータに含まれていた音声・画像あるいはプログラムを再生して、スピーカ、モニター装置或いはデータ処理装置などからなる出力装置１９に出力する。
　【００３３】
　すなわち、この記録再生装置１０は、属性とプロファイルとの関係によって制御され、オンデマンドでの追加クリップの導入を許可／不許可する機能を有する。そして、許可の場合には、入替え対象のクリップが持つ属性とプロファイルの関係から指定されるカスタマイズされたコンテンツクリップ及びその属性をインターネットなどのネットワーク２０経由で追加クリップサーバ装置３から取り込むことができるようになっている。・・・（以下略）」」（公開公報の段落0037〜0040）
　
　(K9)「【００３５】
  上記追加クリップサーバ装置３は、追加クリップ本体保存部３１と追加クリップ属性保存部３２からなる追加クリップ保存部３０を備え、上記コンテンツクリップ（番組）提供者４及びコンテンツクリップ（ＣＭ）提供者５により配布された追加番組クリップ及び追加ＣＭクリップを上記追加クリップ本体保存部３１に保存するとともに、上記追加クリップ本体保存部３１に保存した追加番組クリップ及び追加ＣＭクリップに附属する各属性データを追加クリップ属性保存部３２に保存している。そして、この追加クリップサーバ装置３は、上記情報端末装置２の記録再生装置１０からインターネットなどのネットワーク２０を介して追加すべきコンテンツクリップの種類が通知されると、追加コンテンツクリップ検索部３０により上記追加クリップ保存部３１に保存されている追加コンテンツクリップを探し出し、追加コンテンツクリップ伝送部３３から上記インターネットなどのネットワーク２０を介して上記情報端末装置２に追加コンテンツクリップを伝送する。
　【００３６】
  ここで、この情報提供システムにおいて、上記追加クリップサーバ装置３は、管理者機能を有し、上記情報端末装置２から上記最終編成に従った最終的な再生結果がネットワーク２０経由で送られてくるようになっており、管理者機能により受け取った結果を集計し、入替え事実の把握を自動的に行って広告代理店７に通知することにより、ＣＭなどのスポンサ６群に対して清算処理を行う。」（公開公報の段落0042，0043）
　
　(K10)「【００３８】
  このような構成の情報提供システムでは、例えば、以下に説明するようなＣＭ入替えを行うことができる。
　【００３９】
  ここで、１１月１日〜１２月２４日の期間に行われる売出しを告知するＣＭを「ＣＭ１２２４」と呼ぶ。また、１２月２５日〜１月２０日の期間に行われるバーゲンを告知するＣＭを「ＣＭ０１２０」と呼ぶ。また、所得が１０万ドル以上、対象年齢３０歳以上の視聴者に流すための特別ＣＭを「ＣＭ１０万」と呼ぶ。また、所得が１０万ドル以下の世帯に視聴者に流すためのＣＭを「ＣＭ００万」と呼ぶ。さらに、番組の実体の最初の部分を番組Ｐａｒｔ１、その次を番組Ｐａｒｔ２と呼ぶ。
　【００４０】
　そして、１２月２０日のオリジナルの放送は、番組Ｐａｒｔ１、ＣＭ１２２４、番組Ｐａｒｔ２、ＣＭ００万本体、ＣＭ０１２０の順に行われたとする。
　【００４１】
　「ＣＭ１２２４」には属性（有効期限：１１月１日〜１２月２４日、入替え促進）が与えられており、この属性データが放送用ＣＭクリップ「ＣＭ１２２４」とともに放送されたとする。
　【００４２】
　また、上記「ＣＭ０１２０」には属性（有効期限：１２月２５日〜０１月２０日、入替え促進）が与えられており、この属性データが放送用ＣＭクリップ「ＣＭ０１２０」とともに放送されたとする。
　【００４３】
　また、上記「ＣＭ００万」には、属性（対象所得１０ドル以下、対象年齢無制限、入替え促進、オンデマンドスワップ促進）が与えられており、この属性データが放送用ＣＭクリップ「ＣＭ００万」とともに放送されたとする。
　【００４４】
　さらに、「番組Ｐａｒｔ１」及び「番組Ｐａｒｔ２」には属性（ｎｉｌ）が与えられており、この属性データが放送用番組クリップ「番組Ｐａｒｔ１」，「番組Ｐａｒｔ２」とともに放送されたとする。
　【００４５】
　上記１２月２０日のオリジナルの放送を受信した情報端末装置２では、放送用番組クリップ及び放送用ＣＭクリップすなわち番組Ｐａｒｔ１本体、ＣＭ１２２４本体、番組Ｐａｒｔ２本体、ＣＭ１００万本体、ＣＭ１２０本体等を上記記録再生装置１０の録画本体保存部１１Ａに保存するとともに、上記録画本体保存部１１Ａに保存した放送用番組クリップ及び放送用ＣＭクリップに附属する各属性データすなわち番組Ｐａｒｔ１属性、ＣＭ１２２４属性、番組Ｐａｒｔ２属性、ＣＭ１００万属性、ＣＭ０１２０属性等を録画属性保存部１１Ｂに保存する。
　【００４６】
  ここで、上記記録再生装置１０の個人プロファイル保存部１２には、プロファイルＡとして、例えば、
　デフォルト地域：マンハッタン
　使用者の名前  ：ＡＡＡ
　年齢：４２歳
　性別：男性
　職業：エンジニア
　所得：１１万ドル
　趣味：音楽、映画
　年齢情報伝送：可能
　オンライン受信：可能
などのプロファイルデータが保存されているものとする。なお、上記個人プロファイル保存部１２には、複数のプロファイルを保存することが許されている。
　【００４７】
　また、上記記録再生装置１０のユーザ機器プロファイル保存部１３には、プロファイル１として、例えば、
  時刻：タイマからの逐次検出
　設置住所：居間
　設置場所：ニューヨーク州、ニューヨーク、・・・マジソン通り
などのユーザ機器のプロファイルデータが保存されているものとする。」（公開公報の段落0045〜0054）
　
　(K11)「【００４８】
　そして、この情報端末装置２の記録再生装置１０により上記１２月２０日のオリジナルの放送を録画した内容の再生操作を視聴者ＡＡＡが例えば１２月２６日に行ったとする。
　【００４９】
　上記情報端末装置２の記録再生装置１０は、再生操作が行われると、上記適用プロファイル生成部１４において、上記個人プロファイル保存部１２に保存されているプロファイルＡのプロファイルデータと上記ユーザ機器プロファイル保存部１３に保存されているプロファイル１のプロファイルデータの例えば和集合を演算することにより、適用プロファイルデータを生成し、上記再編成検討部１５において、上記録画結果保存部１１に録画されているコンテンツクリップすなわち放送用番組クリップ及び放送用ＣＭクリップの属性を上記適用プロファイル生成部１４により生成された適用プロファイルデータと比較検討し、その結果に基づいて、コンテンツクリップの再生順を変更するとともに、不足しているコンテンツクリップすなわち追加すべきコンテンツクリップの種類を判別し、ダウンロード機能部１６によりインターネットなどのネットワーク２０を介して追加クリップサーバ装置３から追加すべきコンテンツクリップをオンデマンドでダウンロードする。
　【００５０】
  この例では、２番目のクリップとして録画された「ＣＭ１２２４」は、その属性を適用プロファイルデータと比較検討した結果、期限切れと判断され、かつ、入替え促進なので、２６日でも有効な「ＣＭ０１２０」が繰り上げられて配置される。
　【００５１】
　また、この例では、適用プロファイルの所得が１０万ドルを越え、所得情報伝送可能で、かつ、オンライン受信可能になっており、各クリップの属性のうち「ＣＭ００万」は入替え促進かつオンデマンドスワップ促進になっているので、番組Ｐａｒｔ１等を再生しながら、同時にネットワーク２０経由で追加クリップサーバ装置３にアクセスして「ＣＭ００万」と入れ替える適当なクリップを検索し、その結果として「ＣＭ１４０万」をネットワーク２０経由で上記追加クリップサーバ装置３からダウンロードする。
　【００５２】
　そして、上記最終構成部１７において、上記ダウンロード機能部１６によりダウンロードした追加コンテンツクリップを含めて再生順を再編成して構成された最終編成に従って、コンテンツ再生部１８により上記録画結果保存部１１及び上記ダウンロード機能部１６から放送用番組クリップ、放送用ＣＭクリップ及び追加コンテンツクリップを読み出して再生する。
　【００５３】
　上記コンテンツ再生部１８では、番組Ｐａｒｔ１、ＣＭ０１２０、番組Ｐａｒｔ２、オンデマンドＣＭ１０万の順に再生される。」（公開公報の段落0055〜0060）
　
　(K12)「【００５５】
　また、この情報提供システムにおいて、上記情報端末装置２は上記最終編成に従った最終的な再生結果をネットワーク２０経由で管理者機能を有する追加クリップサーバ装置３に送る。
　【００５６】
  そして、追加クリップサーバ装置３では、管理者機能により受け取った結果を集計し、入替え事実の把握を自動的に行って広告代理店７に通知する。これにより、広告代理店７やスポンサ６等は、入替え頻度などに基づいて必要な課金などの清算処理を行う。」（公開公報の段落0062，0063）
　
　(K13)「【００５７】
　この情報提供システムでは、管理者機能を有する追加クリップサーバ装置３により、上記情報端末装置２側で再生順が変更された結果を管理し、再販結果を自動集計して元のＣＭスポンサ６との間で清算処理を行うことができる。したがって、ＣＭなどの提供者は、一度自分が提供したＣＭが期限切れになっても、その枠を第３者に再販する機会が与えられ、損失を最小にするとどめることができる。・・・（以下略）」（公開公報の段落0064）
　
　(K14)「【００５８】
　このような構成の情報提供システムでは、情報端末装置２側で各番組本体データ及び各補助素材に附属する各属性データとユーザ及びユーザ機器のプロファイルデータの演算により、コンテンツデータの順番を入れ替えた新たな編成を構築することができるので、放送時の編成と再生時の編成を意図的に変更することができ、再生時に視聴者の希望に沿った内容のクリップに差し替えたり、その瞬間に視聴者にアピールしたい内容のクリップに差し替えて再生することができる。
　また、情報端末装置２側で上記属性データとプロファイルデータの演算結果に基づいて、追加クリップサーバ装置に対して、オンデマンドで追加コンテンツデータを要求し、上記追加コンテンツデータを取り込むことができるので、再生時刻やユーザの生活スタイルなどに合わせてカスタマイズした情報を取り込むことができる。
　これにより、放送時には伝えきれない精度の高い情報をユーザに提供することができ、しかも、ユーザは、通常の放送番組を見る場合と差異がなく、違和感なく番組を楽しむことができる。
　【００５９】
  すなわち、この情報提供システムでは、例えば、タイマーカレンダー情報をプロファイルに反映させ、期限切れのＣＭを差し替えることができる。また、住んでいる地域情報をプロファイルに反映させ、全国版ＣＭを地方版ＣＭに差し替えることができる。また、収入情報をプロファイルに反映させ、高額商品のＣＭを控える（増やす）ようにＣＭを差し替えることができる。また、タイマーカレンダー情報をプロファイルに反映させ、桜前線を追いかけた結果から案内する地域を差し替える花見旅行番組や、例えば、３月には補助素材部分が九州の案内だったが４月には東北の案内に指し変わるような旅行案内番組を送出することができる。・・・（以下略）」（公開公報の段落0065，0066）
　
  《発明の効果》
　(K15)「【００６２】
　また、本発明によれば、上記属性データとプロファイルデータの演算結果に基づいて、オンデマンドで追加コンテンツデータを要求し、上記追加コンテンツデータを取り込むことができるので、再生時刻やユーザの生活スタイルなどに合わせてカスタマイズした情報を取り込むことができる。これにより、放送時には伝えきれない精度の高い情報をユーザに提供することができ、しかも、ユーザは、通常の放送番組を見る場合と差異がなく、違和感なく番組を楽しむことができる。」（公開公報の段落0116）
　
［２-３-３］対比
　
　(ａ)先願明細書記載の情報提供システムの概要構成
　
　(ａ１)請求項記載の用語，構成要素（「送信サーバ機能部」，「端末機能部」、）と、実施例（実施の形態）の記載の用語，構成要素（「放送局１」，「追加クリップサーバ装置３」，「情報端末装置２」，「記録再生装置１０」）の関係
　図１を参照し、前掲(K1)と(K5)(K6)(K9)等を比較すれば、以下のことが理解される。
　・請求項１，２でいう、番組本体データ、補助素材、コンテンツデータ、端末機能部は、それぞれ、実施例の、番組クリップ、ＣＭクリップ、コンテンツクリップ、情報端末装置２を指すものであること。、
　・「追加クリップサーバ装置３」は、前掲(K9)の段落【００３６】，(K12)によれば、管理者機能を有し清算処理を行うとしていて、請求項４の記載(K1)と合致することから、「送信サーバ機能部」に含まれると理解される。したがって、請求項の「送信サーバ機能部」は、実施例の「放送局１」、「追加クリップサーバ装置３」を含むものであること。
　・前掲(K6)からすれば、「情報端末装置２」は「記録再生装置１０」を主たる構成とするもので、請求項の「端末機能部」に対応するものであること。
　・以上によれば、「情報提供システム」は、「放送局１」及び「追加クリップサーバ装置３」（以上、「送信サーバ機能部」に含まれる）と、「記録再生装置１０」を主たる構成とする「情報端末装置２」（端末機能部）等により構成されているものである。
　
　(ａ２)情報提供システムの概要構成
　上記(ａ１)をふまえて、その請求項１，２の窓を通してみれば、先願明細書には、大要、「情報提供システム」として、以下のものが記載されているということができる。すなわち、
　放送局側から送信される、ＣＭが挿入された番組内容を記録再生装置で記録して再生する場合、再生される番組に挿入されたＣＭは恒常的なもの（放送時に編成されたままのもの）であることによる問題点、例えばある期間限定のバーゲンに関するＣＭの告知は、その期間が過ぎてから再生されても、告知という観点からは無意味なものとなってしまう、あるいは例えば男性の視聴者にも、女性用化粧品のＣＭ等の宣伝効果が薄いＣＭが画一的に再生されてしまう等の問題点の解決を図るものであって｛(K2)〜(K4)｝、
　「放送局１」、「追加クリップサーバ装置３」を含む「送信サーバ機能部」と「記録再生装置１０」（情報端末装置２）等からなり、
　「記録再生装置１０」（情報端末装置２）は、「放送局１」から送られてくる、予め編成された番組クリップとＣＭクリップの組合せからなるコンテンツデータ（その連続ストリーミング）を受信し、これを分割した各番組クリップ及び各ＣＭクリップに附属する各属性データとユーザ及びユーザ機器のプロファイルデータとの演算により、上記受信した
コンテンツデータの順番を入れ替え
順番入れ替え
　さらに、上記属性データとプロファイルデータの演算結果に基づいて、
追加コンテンツデータを要求して取り込むオンデマンド取り込み
オンデマンド取り込み
　
　(ｂ)前提構成
　補正後発明の前提構成である「予め記録された記録情報を再生する情報再生装置と、前記情報再生装置に接続され前記情報再生装置に情報を提供する情報提供装置とを含む情報再生システムに用いられる情報再生装置」（以下、「構成１」という。）について
　
　実施の形態に関する前掲(K6)〜(K9)，図１，図２に照らせば、
　「記録再生装置１０」は、『
予め記録された記録情報を再生する情報再生装置
　「記録再生装置１０」は、「追加クリップサーバ装置３」から「追加コンテンツクリップ」を取り込む（ダウンロード）｛(K8)(K9)｝から、「追加クリップサーバ装置３」は、「記録再生装置１０」に『
情報を提供する情報提供装置
　「追加クリップサーバ装置３」は、「記録再生装置１０」にネットワークを介して『接続されている』｛(K5)｝こと、
　以上は、明らかであり、
　「記録再生装置１０」と「追加クリップサーバ装置３」を含めたものを『
情報再生システム
　すなわち、「記録再生装置１０」は補正後発明でいう「情報再生装置」に、
　「追加クリップサーバ装置３」は補正後発明でいう「情報提供装置」に、
　「記録再生装置１０」と「追加クリップサーバ装置３」を合わせたものは
　　補正後発明でいう「情報再生システム」に、
　上記構成１の限りにおいて、それぞれ、相当するものということができる。
　以上によれば、先願明細書記載の発明として、前提構成として、上記「構成１」を具備するものを認めることができる。
　
　(ｃ)補正後発明の「前記情報提供装置は、前記情報再生装置に代替情報を送信するための代替情報送信手段を含み」（以下、「構成２」という。）について
　前掲(K8)(K9)、図２によれば「追加クリップサーバ装置３」（補正後発明の「情報提供装置」に相当する）は、「記録再生装置１０」（補正後発明の「情報再生装置」に相当する）に「追加コンテンツクリップ」を送信するための「追加コンテンツクリップ伝送部」を有しており、
　「追加コンテンツクリップ」は、記録情報（の一部）を代替するための情報、すなわち『代替情報』であることは、ＣＭ入替えについての具体例を示す前掲(K10)(K11)からも明らかであるから、この「追加コンテンツクリップ伝送部」は、上記「構成２」でいう『前記情報再生装置に代替情報を送信するための代替情報送信手段』といい得るものである。
　したがって、先願明細書記載の発明として、上記「構成２」を具備するものを認めることができる。
　
　(ｄ)補正後発明の
　「前記情報再生装置は、
　前記記録情報の中から予め定められた時間に関する条件を満足する抽出情報を抽出するための抽出手段と、
　前記情報提供装置と前記抽出手段とに接続され、前記抽出手段により抽出された抽出情報を代替するための
新しい
　前記情報提供装置に接続され、前記代替情報送信手段により送信された前記代替情報を受信して、受信した前記代替情報により前記抽出情報を代替して、前記記録情報を再生するための再生手段とを含む」（以下、「構成３」という。）について　　
　
　(ｄ１)補正後発明の「抽出情報」
　上記「
抽出情報
新しい
特定の記録情報
　
(ｄ２)
順番入れ替え
オンデマンド取り込み
再編成・再生
　上記(ａ２)で上述した、先願明細書記載の情報提供システムの上記「
順番入れ替え
オンデマンド取り込み
再編成・再生
　
　（ア）
順番入れ替え
比較演算
　（イ）
オンデマンド取り込み
比較演算
　このとき、この要求に応じて、追加クリップサーバ装置３内の追加コンテンツクリップ伝送部３３から上記インターネットなどのネットワーク２０を介して記録再生装置１０に追加コンテンツクリップを伝送する。
  “
比較演算
　再編成検討部１５でなされる上記
比較演算
　上記各属性データと、
　ユーザのプロファイルデータ（年齢、性別、職業、趣味などのデータ）およびユーザ機器のプロファイルデータ（設置住所、設置場所、時刻などのデータ）から生成した適用プロファイルデータ｛例えば(K11)【００４９】段落に示される上記ユーザとユーザ機器の各プロファイルデータの和集合｝）とを、比較演算するものである。｛(K7)(K8)，段落【００２７】〜【００３０】｝
　（ウ）
再編成・再生
　
　(ｄ３)具体例
　上記（ア）〜（ウ）の処理について、前掲(K10)(K11)記載の具体例（以下、簡単に「具体例」ともいう）により検討する。
　
　(ｄ３-１)具体例
　〈条件〉
　記録コンテンツクリップを、
    １２月２０日に放送され記録されたもので、「番組Ｐａｒｔ１、
　　ＣＭ１２２４、番組Ｐａｒｔ２、ＣＭ００万本体、ＣＭ０１２０」、
　それらの属性を、
　　ＣＭ１２２４の属性
　　　：有効期限：１１月１日〜１２月２４日、入替え促進
    ＣＭ０１２０の属性
　　　：有効期限：１２月２５日〜０１月２０日、入替え促進
　　ＣＭ００万本体の属性
　　　：対象所得１０ドル以下、対象年齢無制限、入替え促進、
　　　　オンデマンドスワップ促進
　　とし｛段落【００４５】｝、
　プロファイルを、
　　前掲(K10)の段落【００４６】【００４７】の記載のとおりとする。
　
　上記条件の下、１２月２０日に放送され記録された上記コンテンツクリップは、１２月２６日の再生時には、「ＣＭ１２２４」から「ＣＭ０１２０」への
入れ替え
入れ替え
　
　(ｄ３-２)前掲(K11)は、上記具体例を例に、上記（ア）〜（ウ）の処理の例を示すものであり、同例からみた、再編成検討部１５、ダウンロード機能部１６，最終構成部１７、再生部１８等の機能・構成について、以下、上記「構成３」と対比検討する
　
　〈上記（ア）の処理〉
　上記（ア）の処理に対応する、「ＣＭ１２２４」から「ＣＭ０１２０」への
入れ替え
入れ替え
　これは、「ＣＭ１２２４」は、その属性を適用プロファイルデータと比較演算（比較検討）した結果、期限切れと判断されるのであるから、その属性である有効期限：１１月１日〜１２月２４日と、プロファイルであるタイマから逐次検出される再生時刻とが比較演算されているものと理解され、
　「再生時刻（当然日時も含まれると解される。）が有効期限を超えている」という「
予め定められた時間に関する条件
　すなわち、「ＣＭ１２２４」を、「記録情報の中から
予め定められた時間に関する条件
特定の記録情報
　したがって、「再編成検討部１５」は、補正後発明でいう『前記記録情報の中から予め定められた時間に関する条件を満足する抽出情報を抽出するための抽出手段』に相当する手段を具備するものといえる。
　もっとも、「ＣＭ１２２４」の代わりに
入れ替え
　これは、後記する「ＣＭ００万」とは異なり、「ＣＭ１２２４」の属性が、入替え促進ではあるものの、オンデマンドスワップ促進とはされていないからである。
　
　〈上記（イ）〜（ウ）の処理〉
　上記（イ）〜（ウ）の処理に対応する、「ＣＭ００万」から「ＣＭ１０万」への
入れ替え
再編成・再生
　
　《（イ）の処理》
　「ＣＭ００万」は、再編成検討部１５により、その属性を適用プロファイルデータと比較演算（比較検討）した結果、入替え促進かつオンデマンドスワップ促進になっていて、かつ、適用プロファイルの所得が１０万ドルを越えているから、「ＣＭ００万」と入れ替える適当なクリップを追加クリップサーバ装置３に要求し、その結果として、ダウンロード機能部１６により「ＣＭ１０万」（ 段落【００５１】の「ＣＭ１４０万」は正しくは「ＣＭ１０万」であることは明らかである。）を追加クリップサーバ装置３からダウンロードする。｛段落【００５１】｝
　これは、上記の「ＣＭ１２２４」と同様、「ＣＭ００万」を、「記録情報の中から
予め定められた
条件
特定の記録情報
新しい
オンデマンド取り込み
　
　したがって、「再編成検討部１５」は、補正後発明でいう『前記記録情報の中から予め定められた条件を満足する抽出情報を抽出するための抽出手段』に相当する手段を具備するものといえる（これは、「ＣＭ１２２４」についての処理からいえたのと同様である。）とともに、
　補正後発明でいう『前記情報提供装置（追加クリップサーバ装置３）と前記抽出手段とに接続され、抽出手段により抽出された抽出情報を代替するための
新しい
　もっとも、上記抽出条件は、ユーザの収入に関する条件であって「時間に関する条件」ではない。
　この具体例では、コンテンツクリップ「ＣＭ１２２４」も「ＣＭ００万」も、その属性として「入替え促進」が付与されていることで、再生時に所定条件を満足すれば代替クリップで代替される点では同じであるが、
　代替クリップの入手先が異なり、「オンデマンドスワップ促進」属性が付与されている後者のみが、追加クリップサーバ装置から
要求して取り込むオンデマンド取り込み
　
　《（ウ）の処理》
　「最終構成部１７」において、追加クリップサーバ装置３内の「追加コンテンツクリップ伝送部３３」から伝送されて「ダウンロード機能部１６」によりダウンロードした追加コンテンツクリップである
新しい
新しい
入れ替え
　また、「追加コンテンツクリップ伝送部３３」は、補正後発明でいう「代替情報送信手段」といい得ることは(ｃ)で前記したとおりである。
　
　したがって、「ダウンロード機能部１６」と「最終構成部１７」と「コンテンツ再生部１８」を合わせたものは、補正後発明でいう『前記情報提供装置（追加クリップサーバ装置３）に接続され、前記代替情報送信手段（追加コンテンツクリップ伝送部３３）により送信された前記代替情報を受信して、受信した前記代替情報により前記抽出情報を代替して、前記記録情報を再生するための再生手段』に相当する手段を具備するものといえる。
　
　(ｄ３-３)　まとめ(ｄ３)
　以上、この具体例によれば、先願明細書記載の発明として、「時間に関する条件」との規定については別として、この規定以外の上記「構成３」を具備するものを認めることができる。
　
　(ｄ４)「時間に関する条件」
　先願明細書記載の発明として、予め定められた「時間に関する条件」を満足する抽出情報についても、その代替情報を要求して受信する発明を認定することができるか否かについて、そのような発明を認定することはできないとする請求人の主張も含め、以下に検討する。　
　
　請求人は、「先願明細書には、ダウンロードされるのは、有効期限に基づいて判断された情報ではなく、所得額に基づいてダウンロードされる情報であるとしか記載されていません。 
 　先願明細書には、１）有効期限の切れたＣＭは視聴させない、２）所得額に応じたＣＭを視聴させるという技術思想は記載されているとしても、情報（広告情報）の有効期限が切れている場合には新しい代替情報を、番組編成に沿って視聴させるという技術思想が記載されていません。」と主張する。
　
　確かに、上記「具体例」は、記録情報の中から予め定められた時間に関する条件を満足する抽出情報（すなわち、記録情報の中から予め定められた時間に関する条件を満足するものとして特定された
特定の記録情報
受信済みの代替情報
　予め定められた時間に関する条件を満足する抽出情報について、その代替情報を情報提供装置に
要求して受信することを明示的に示すものではない。
　予め定められた時間に関する条件を満足する抽出情報については、その代替情報を
要求して受信することを明示的に示すものではない。
　
　しかしながら、上記「具体例」は、先願発明の実施例としてのコンテンツ再編成の一具体例を示すに過ぎず、先願明細書記載の発明のすべてでないことは言うまでもなく、先願明細書の請求項１，２の特定事項(K1)や他の記載を総合勘案すれば、
　先願明細書記載の発明として、予め定められた時間に関する条件を満足する抽出情報についても、その代替情報を要求して受信する発明を認定することができ、「時間に関する条件」との規定を含め、上記「構成３」を具備するものを認めることができる。
　以下にその理由を示す。
　
　《理由》
　（１）請求項２では、属性データとプロファイルデータの演算結果に基づいてコンテンツデータの順番を入れ替えること（請求項１）に加えて、同じ属性データとプロファイルデータの演算結果に基づいてオンデマンドで追加コンテンツデータを取り込むとしているところ、
　その演算として、属性データとしての「期限」とプロファイルデータとして「時刻（タイマーカレンダー情報）」との比較演算が示され、期限切れのコンテンツを期限切れでないコンテンツに差し替えることが示されているのであるから、
　一具体例として挙げられた期限切れのコンテンツ差し替えが、たとえ記録済みのコンテンツとの差し替えであるとしても、オンデマンドでの追加コンテンツデータとの差し替えを何ら排除するわけではなく、むしろ、期限切れによる差し替えは、記録済みのコンテンツとの差し替えに限らず、追加コンテンツデータとの差し替えも含むとみるべきである。
　付言すれば、「ＣＭ１２２４」を記録済みの「ＣＭ０１２０」に差し替える上記具体例においても、再生日時が１月２０日を過ぎれば、適切なＣＭクリップがなく“不足”することは明白であり、したがって、１月２０日以降のことも考えるなら「オンデマンドスワップ促進」属性を付与しておくべきことは極めて普通に想定されることであり、それにより、コンテンツ送出後もそのＣＭ枠の第３者への再販も可能となるという目的｛前掲(K4)，(K13) 段落【００５７】｝にも合致することになるのである。
　この例を「オンデマンドスワップ促進」としなかったのは、むしろ、「オンデマンドスワップ促進」の典型例を「ＣＭ００万」としたため、記録済みの順番入れ替えの典型例とする必要からと考えるべきである。
　先願明細書記載の発明として、予め定められた「時間に関する条件」を満足する抽出情報についても、その代替情報を要求して受信する発明を認定し得るものである。
　
　（２）前掲(K14)の段落【００５８】には、「このような構成の情報提供システムでは、・・・各属性データと・・・のプロファイルデータの演算により、コンテンツデータの順番を入れ替えた新たな編成を構築することができるので、放送時の編成と再生時の編成を意図的に変更することができ、再生時に視聴者の希望に沿った内容のクリップに差し替えたり、
その瞬間に視聴者にアピールしたい内容のクリップに差し替えて再生することができる
　「・・・再生時に視聴者の希望に沿った内容のクリップに差し替えたり、」の部分は、差し替えたクリップ（代替情報）は必ずしも
要求して受信する
その瞬間に視聴者にアピールしたい内容のクリップに差し替えて再生する
　そのように動作させるためには、上記具体例の「ＣＭ１２２４」に付与した様に有効期限（より短い期限が望ましいかもしれないが）と入替え促進の属性のほか、「オンデマンドスワップ促進」属性を付与しておけばよいことは明らかである。
　すなわち、有効期限と入替え促進属性に加えて「オンデマンドスワップ促進」属性を付与するような発明も先願明細書は記載しているとみるべきである。
　したがって、先願明細書記載の発明として、予め定められた「時間に関する条件」を満足する抽出情報についても、その代替情報を要求して受信する発明を認定し得るものである。
　
　（３）同じ段落【００５８】の、上記記載部分に続いて、「また、情報端末装置２側で上記属性データとプロファイルデータの演算結果に基づいて、追加クリップサーバ装置に対して、オンデマンドで追加コンテンツデータを要求し、上記追加コンテンツデータを
取り込む
再生時刻
取り込む
　これにより、放送時には伝えきれない精度の高い情報をユーザに提供することができ、しかも、ユーザは、通常の放送番組を見る場合と差異がなく、違和感なく番組を楽しむことができる。」との記載があるところ、
　同記載は、「再生時刻」に合わせて追加コンテンツデータを「
取り込む
　このことからみても、先願明細書記載の発明として、予め定められた「時間に関する条件」を満足する抽出情報についても、その代替情報を要求して受信する発明を認定し得るものである。
　
　（４）上記に続く段落【００５９】には、「すなわち、この情報提供システムでは、例えば、タイマーカレンダー情報をプロファイルに反映させ、期限切れのＣＭを差し替えることができる。・・・（中略）・・・また、
タイマーカレンダー情報をプロファイルに反映させ、桜前線を追いかけた結果から案内する地域を差し替える花見旅行番組
  
桜前線
タイマーカレンダー情報
　先願明細書記載の発明として、予め定められた「時間に関する条件」を満足する抽出情報についても、その代替情報を要求して受信する発明を認定し得るものである。
　
　(ｄ５)　まとめ(ｄ)
　以上によれば、先願明細書記載の発明として、上記「構成３」を具備するものを認めることができる。
　
　(ｅ)結論（補正後発明との対比、同一性結論）
　上記（ａ）〜（ｄ）によれば、先願明細書記載の発明として、補正後発明の上記「構成１」、「構成２」、「構成３」の全てを具備するものを認めることができる。
　したがって、先願明細書には補正後発明と同一の発明が記載されている。
　
［２-３-４］まとめ
　以上、補正後発明は先願明細書に記載された発明と同一である。
　また、上記先願が本願出願日前の特許出願であって、その出願後に出願公開がされたもの（とみなされたもの）であること、先願明細書に記載された発明をした者が補正後発明の発明者と同一の者ではないこと、本願出願時にその出願人と上記先願の出願人とが同一の者ではないこと、以上は明らかである。
　
［２-３-５］むすび（独立特許要件）
　以上、本件補正後の請求項６に係る発明は、上記先願の願書に最初に添付した明細書又は図面に記載された発明と同一であるから、特許法第２９条の２の規定により、特許出願の際独立して特許を受けることができないものである。
　
［２-３-６］むすび（決定）
　以上、本件補正は、特許法第１７条の２第５項において準用する同法第１２６条第５項の規定に適合しないので、特許法第１５９条第１項において読み替えて準用する同法第５３条第１項の規定により却下されるべきものである。  
　
【第３】本願発明 
 　平成１７年７月７日付けの手続補正は上記のとおり却下する。 
 　本願の請求項１から請求項１３までに係る発明は、本願明細書及び図面（平成１７年４月２５日付け手続補正書により補正された明細書及び図面）の記載からみて、それぞれ、その特許請求の範囲の請求項１から請求項１３までに記載した事項により特定されるとおりのものであるところ、そのうち、請求項６に係る発明（以下、本願発明ともいう）は、下記のとおりである。
　 
　　　　　　　　　記《本願発明》 
　【請求項６】
　予め記録された記録情報を再生する情報再生装置と、前記情報再生装置に接続され前記情報再生装置に情報を提供する情報提供装置とを含む情報再生システムに用いられる情報再生装置であって、
前記情報提供装置は、前記情報再生装置に代替情報を送信するための代替情報送信手段を含み、
　前記情報再生装置は、
　前記記録情報の中から予め定められた時間に関する条件を満足する抽出情報を抽出するための抽出手段と、
　前記情報提供装置と前記抽出手段とに接続され、前記抽出手段により抽出された抽出情報を代替するための代替情報を前記情報提供装置に要求するための要求手段と、
　前記情報提供装置に接続され、前記代替情報送信手段により送信された前記代替情報を受信して、受信した前記代替情報により前記抽出情報を代替して、前記記録情報を再生するための再生手段とを含む、情報再生装置。
　
【第４】査定の検討 
　
［１］先願明細書の記載
　原査定の拒絶の理由に引用された，上記先願と同じ出願である、本願の出願の日前の他の出願であって、当該他の出願を基礎とする優先権主張を伴う特願２０００−２６９０３３号についての出願公開（特開２００１−２９２１１５号公報、平成１３年１０月１９日）がされた時に、出願公開がされたものとみなされた特願２０００−２７４０８号（出願日：２０００年１月３１日，以下「先願」という。）の願書に最初に添付した明細書及び図面（同じく「先願明細書」という。）には、前記「【第２】［２-３-２］」に記載したとおりの記載がある。　　
　
［２］本願発明と先願明細書記載発明との対比
　本願発明は、【第２】で検討した上記補正後発明の構成の一部である、
「前記抽出手段により抽出された抽出情報を代替するための
新しい
「前記抽出手段により抽出された抽出情報を代替するための代替情報を前記情報提供装置に要求するための要求手段」としたものであり、上記補正後発明の構成から下線部「
新しい
　したがって、前記「【第２】［２-３-３］」の（ａ）〜（ｅ）でした、補正後発明と先願明細書記載の発明との対比を、そのまま援用する。
　上記対比によれば、先願明細書には本願発明と同一の発明が記載されている。
　
［３］まとめ
　本願発明は先願明細書に記載された発明と同一である。
　また、上記先願が本願出願日前の特許出願であって、その出願後に出願公開がされたもの（とみなされたもの）であること、先願明細書に記載された発明をした者が本願発明の発明者と同一の者ではないこと、本願出願時にその出願人と上記先願の出願人とが同一の者ではないこと、以上は明らかである。
　
【第５】むすび 
　以上、本願の請求項６に係る発明は、上記先願の願書に最初に添付した明細書又は図面に記載された発明と同一であるから、特許法第２９条の２の規定により特許を受けることができない。 
　したがって、残る請求項１〜請求項５，請求項７〜請求項１３までに係る各発明について特に検討するまでもなく、本願は拒絶をすべきものである。
　
 　よって、結論のとおり審決する。